(57)【特許請求の範囲】
【請求項１】
一連のフレームと、フィルムの縁部に沿った複数のパーフォレーションとを有するフィルムを、映写機を通過して搬送するフィルム映写機搬送機構であって、
各々が、前記パーフォレーションにかみ合い、前記フィルムを、映写機を通過して動かすための歯を有する、１つの間欠スプロケットを含む複数のスプロケットと、
前記複数のスプロケットを回転させ、前記フィルムを映写機内のアパーチャを通り過ぎてフレームごとに動かす運動要素と、
該運動要素を制御する制御器であって、前記映写機の動作を中断、すなわち停止させることなくフィルム形式の変更を行うために、前記スプロケットの回転速度および位置決めを、前記フィルム上の各フレームに含まれるパーフォレーションの数に関してのフィルム形式を基にして変更するようになっている制御器と、
を備え、
前記フィルム映写機搬送機構はさらに、フィルム形式の変更後、前記フィルムのフレームの中心線のずれを、前記間欠スプロケットの最初の再位置決めによって吸収するように作られている、
フィルムを、映写機を通過して搬送するフィルム映写機搬送機構。
【請求項２】
前記複数のスプロケットが、
前記パーフォレーションにかみ合い、かつ前記フィルムを、前記映写機を通過して動かすための歯を有し、前記アパーチャの各側に１つ設けられた、一対の定速スプロケットと、
前記パーフォレーションにかみ合って、前記フィルムを、前記アパーチャを通り過ぎてフレームごとに進ませるための間欠スプロケットと、
を備える、
請求項１に記載のフィルム映写機搬送機構。
【請求項３】
前記運動要素が、
前記一対の定速スプロケットを回転させるための回転出力を有する第１のモータと、
前記間欠スプロケットを回転させるための回転出力を有する第２のモータと、
を備える、請求項２に記載のフィルム映写機搬送機構。
【請求項４】
前記第１のモータが可変速モータを含み、前記第２のモータがサーボモータを含む、請求項３に記載のフィルム映写機搬送機構。
【請求項５】
前記制御器が前記第１のモータと前記第２のモータを制御および統合し、かつ、トリガ信号に応答して前記第１のモータの出力と前記第２のモータの出力を変更し、したがって前記一対のスプロケットの回転速度と前記間欠スプロケットの位置決めとを変更するスイッチを含み、前記トリガ信号は、前記映写機内のフィルムが、各フレームが前記フィルム上に第１の所定数のパーフォレーションを含む形式から、各フレームが前記フィルム上に第２の所定数のパーフォレーションを含む形式へ変化した時を示す、請求項３に記載のフィルム映写機搬送機構。
【請求項６】
前記トリガ信号が、前記フィルム上の各フレームが含むパーフォレーションの数を基にしている、請求項５に記載のフィルム映写機搬送機構。
【請求項７】
前記映写機の動作中に、電子的手段、磁気的手段、光学的手段、または機械的手段のいずれか１つによって前記トリガ信号を自動的に発生するセンサをさらに有する、請求項６に記載のフィルム映写機搬送機構。
【請求項８】
前記制御器は、前記スプロケットの回転速度と回転方向を前記運動要素によって変更して、前記フィルムを高速に巻き戻させる、請求項１に記載のフィルム映写機搬送機構。
【請求項９】
一連のフレームと、フィルムの縁部に沿った複数のパーフォレーションとを有するフィルムを、映写機内を通過して搬送するフィルム映写機搬送機構であって、
前記パーフォレーションにかみ合い、前記フィルムを前記映写機内のアパーチャに対してフレームごとに進ませ、位置合わせするための歯を有する間欠スプロケットと、
前記パーフォレーションにかみ合い、前記フィルムのループを前記アパーチャおよび前記間欠スプロケットの各側に維持する少なくとも１つのスプロケットと、
前記少なくとも１つのスプロケットを複数の異なった一定の回転速度で選択的に回転させるための、前記少なくとも１つのスプロケットに接続された可変の出力を有する第１のモータと、
前記間欠スプロケットを間欠的に回転させ、それによって前記フィルムを、前記映写機内のアパーチャに対してフレーム毎に進め、位置合わせするための、前記間欠スプロケットに接続された出力を有する第２のモータと、
前記第１および前記第２のモータの出力を制御する制御器であって、該制御器は、前記フィルム上の各フレームが有するパーフォレーションの数に関してのフィルム形式の変更があったとき、前記少なくとも１つのスプロケットの回転速度と前記間欠スプロケットの間欠回転運動を変更するようになっており、前記フィルムのフレームは、前記フィルム形式に変更があるたびに前記アパーチャに対して再度中心合わせされる、制御器と
を有する、映画フィルム映写機においてフィルムを搬送するフィルム映写機作動機構。
【請求項１０】
映画フィルム映写機において、映像を有する一連のフレームと、前記フィルムの縁部に沿った複数のパーフォレーションとを有するフィルムを搬送するフィルム映写機作動機構であって、
前記パーフォレーションにかみ合い、前記フィルムを、前記映写機内のアパーチャを通り過ぎてフレームごとに進ませるための歯を有する間欠スプロケットと、
前記間欠スプロケットと協働して前記パーフォレーションにかみ合う歯を有し、前記アパーチャおよび前記間欠スプロケットの各側に１つ設けられた、一対のスプロケットと、
前記一対のスプロケットを複数の異なった一定速度で選択的に回転させるための回転出力を有する第１のモータと、
前記間欠スプロケットを間欠的に回転させるための回転出力を有する第２のモータと、
前記第１のモータおよび前記第２のモータの回転出力を制御および統合する制御器であって、該制御器は、前記映写機の動作をほとんど中断することなく、前記第１のモータの回転出力と前記第２のモータの回転出力とを変更し、それによって、前記映写機内のフィルムが、各フレームが前記フィルム上に第１の所定数のパーフォレーションを持つ第１のフィルム形式から、各フレームが前記フィルム上に第２の所定数のパーフォレーションを持つ第２のフィルム形式へ変化した時に、前記一対のスプロケットの回転速度と前記間欠スプロケットの間欠回転運動とを変更するようになっており、前記フィルムのフレームは、前記フィルム形式に変更があるたびに前記アパーチャに対して再度中心合わせされる、制御器と
を有する、映画フィルム映写機においてフィルムを搬送するためのフィルム映写機作動機構。
【請求項１１】
フィルム上のパーフォレーションとかみ合い、前記フィルムを、映写機内のアパーチャを通り過ぎてフレーム毎に進める間欠スプロケットと一対の定速スプロケットを有し、第１のモータが前記定速スプロケットを回転させるための回転出力を有し、第２のモータが前記間欠スプロケットを回転させ、かつ位置決めするための回転出力を有する映写機を通過してフィルムを搬送する方法であって、
フィルム上の各フレームが有するパーフォレーションの数に関してのフィルム形式を決定することと、
前記第１のモータの回転出力と前記定速スプロケットの回転速度とを前記フィルム形式を基にして制御することと、
前記映写機の動作を中断、すなわち停止させることなくフィルム形式の変更を行うために、前記第２のモータの回転出力と、前記間欠スプロケットの位置決めとを前記フィルム形式を基にして制御することと、
フィルム形式の変更後、前記フィルムのフレームの中心線のずれを吸収するために前記間欠スプロケットを再位置決めすることと、
を有する、映写機を通過してフィルムを搬送する方法。
【請求項１２】
前記第１のモータの回転出力と、前記定速スプロケットの回転速度とを制御するトリガ信号を発生することをさらに有し、該トリガ信号は前記フィルム形式を基にしている、請求項１１に記載の方法。
【請求項１３】
前記フィルム形式を特定する情報をフィルム上に符号化することと、その後該情報を検出して前記トリガ信号を発生することをさらに有する、請求項１２に記載の方法。
【請求項１４】
前記トリガ信号を基にして、前記第１のモータの回転出力を制御する第２の信号を発生するスイッチへ前記トリガ信号を送ることをさらに有する、請求項１３に記載の方法。
【請求項１５】
前記フィルム上の、前記フィルム形式の変更に対応する場所に複数のトリガ片を設けることと、変更されたフィルム形式を特定する情報を前記トリガ片上に符号化することと、その情報を検出して前記トリガ信号を発生することをさらに有する、請求項１３に記載の方法。
【請求項１６】
フィルム上のパーフォレーションとかみ合い、前記フィルムを、映写機内のアパーチャに対してフレーム毎に進め、位置合わせする間欠スプロケットと一対のスプロケットを有し、第１のモータが前記一対のスプロケットを複数の異なった一定の回転速度で選択的に回転させるための回転出力を有し、第２のモータが前記間欠スプロケットを回転させ、位置決めするための回転出力を有する映写機を通過してフィルムを搬送する方法であって、
フィルム上の各フレームが有するパーフォレーションの数に関してのフィルム形式を決定することと、
前記第１のモータの回転出力と、前記一対のスプロケットの回転速度とを前記フィルム形式を基にして制御することと、
前記第２のモータの回転出力と、前記間欠スプロケットの位置決めとを前記フィルム形式を基にして制御することと、
前記第１のモータの回転出力および第２のモータの回転出力を変更する、したがって前記一対のスプロケットの回転速度と前記間欠スプロケットの位置決めを変更する、前記フィルム形式の変更に基づくトリガ信号を発生することと、
前記フィルム形式に変更があるたびに前記フィルムのフレームを前記アパーチャに対して再度中心合わせすることと、
を有する、映写機を通過してフィルムを搬送する方法。
【請求項１７】
フィルム上のパーフォレーションとかみ合う複数のスプロケットと、前記スプロケットを回転させ、前記フィルムを、映写機内のアパーチャに対してフレーム毎に位置合わせする出力を有する運動要素とを有する映写機を通過してフィルムを搬送する方法であって、
前記フィルムが、前記フィルム上に第１の所定数のパーフォレーションを有するフレームを有する第１のフィルム形式を決定することと、
前記運動要素の出力を、したがって前記複数のスプロケットの回転速度を前記第１のフィルム形式に基づいて制御し、前記フレームを前記アパーチャに対して位置合わせし、かつ正しく中心合わせすることと、
前記映写機の動作中、前記第１のフィルム形式から、前記フィルムが、前記フィルム上に第２の所定数のパーフォレーションを有する第２のフィルム形式へのフィルム形式の変更を検出することと、
前記運動要素の出力を、したがって前記複数のスプロケットの回転速度を前記第２のフィルム形式に基づいて変更し、前記フレームを前記アパーチャに対して位置合わせし、かつ正しく中心合わせすることと、
を有する、映写機を通過してフィルムを搬送する方法。
【請求項１８】
前記第１および第２のフィルム形式からなるフィルム部分を接合して単一のフィルムストリップを形成することと、
各フィルム接合に隣接するフィルムストリップ上に、各フィルム接合に続くフィルム形式を示す情報を付けることと、
前記フィルム上の前記情報を前記映写機の動作中に検知してフィルム形式を示す信号を生成することと、
前記運動要素の出力を、したがって前記複数のスプロケットの回転速度を前記信号に基づいて制御し、前記フィルム形式の前記フィルムのフレームを前記アパーチャに対して位置合わせし、かつ正しく中心合わせすることと
をさらに有する、請求項１７に記載の方法。
【発明の詳細な説明】
発明の背景
本発明は映写機用のフィルム送り装置に関し、特に、フレーム当り所定数のパーフォレーションを持つフレームを有するフィルムプリントを送ることができ、その後、フレーム当り異なる数のパーフォレーションを持つフレームを有する他のフィルム形態に切り替えることができ、しかも切り替え中は映写機の動作を妨害しないようなフィルム映写機機構に関する。
従来の３５ｍｍ劇場用映写機はモータで駆動されるスプロケット輪を用いている。そのスプロケット輪は１秒間当り２４こまという標準的な速さでフィルムゲートを通して間欠的にフィルムを引く。フィルムが動いている間は、定速モータによって駆動される回転シャッターがスクリーンを暗くしてぶれを防止する。「視残像」として知られている現象のためにそれらの暗くなる瞬間を観衆は気がつかない。フィルムは両側の定速スプケットによってフィルムゲートおよび間欠スプケットに供給され、かつフィルムゲートおよび間欠スプケットから運び去られる。フィルムゲートにおいて生じた周期的運動は間欠スプロケットの両側のフィルムループによって滑らかにされる。フィルムループは定速スプロケットによって維持される。
現在の劇場用映写機はほとんど全てが機械式である。通常は、多数の駆動歯車を支持している駆動軸を１台の同期モータが駆動する。各駆動歯車はシャッター、またはフィルムスプロケットの１つを適切な速さで駆動する。間欠スプロケットはゼネバ機構と呼ばれている装置によって駆動される。ゼネバ機構の目的は装置軸の完全な１回転を間欠スプロケットの９０度回転に変換することである。その９０度回転の後に映写のための静止期間が続く。１６本の歯を持つスプロケットが９０度回ると４ーパーフォレーション・フレームが変化する（すなわち、１回の「かき落とし」）結果となる。４ーパーフォレーション・フレーム規格は、映写される縦横比１．３３：１に適合するために１８００年代の後期に定められ、その時以来変更されていない。したがって、商用の３５ｍｍ映写機は４ーパーフォレーションかき落としのために設計されている。
ほとんど全ての劇場用３５ｍｍ映写機は機械的な構成のものであるが、電子式かき落としを特徴とする特殊な映写機が何種類か市販されている。それらの構成は、フレームをフィルムゲートに進ませてそこに位置させるために、ゼネバ装置の代わりに迅速応答のサーボモータに依存している。
１９５０年代の終りに、真のワイドスクリーン上映のために使用される、２．３５：１の縦横比を１．３３：１の４−パーフォレーション・フレームに光学的に圧縮するアナモフィックカメラおよび投影レンズに依存することなく、「セミワイドスクリーン外観」を観衆に提供するために「１．８５」スクリーン形式が開発された。現在封切られているフィルムのおよそ８５パーセントが１．８５形式を用いている。この映写される縦横比を達成するために、映写ゲートのアパーチャ内にマスクが単に挿入される。このマスクは映写フレームの上の領域と下の領域を覆い、これによって、画像の幅対高さ比を高くする。したがって、それらのマスクされた領域内の露光された画像は決して見えない。
添付図面では、図１にこれを極めて明瞭に示す。ハッチングを施されている部分６４は、フレーム高さが４パーフォレーションである１．８５：１映写形式では無駄にされる、使用できるフィルム部分を表す。参照数字６６により表されている部分は光学的サウンドトラックに対応する。無駄にされるフィルム部分の問題の１つの解決策は、図１に示すのと同じ映写可能な領域を提供するが、上と下に無駄にされる画像領域がない代わりのフレーム高さ規格に変更することである。１つのそのような代わりのフレーム規格が図２に示す３ーパーフォレーション・フレームである。マスキングによって以前は無駄にされていた領域の大部分を無くすことによって、同じ映写可能な面積を４パーフォレーションの代わりに３パーフォレーションに入れることができる。したがって、この「無駄にされた」領域を無くすことによって封切りプリントの長さ、およびしたがって費用、がおよそ２５％短縮される結果となる。
３ーパーフォレーション形式は正しい方向への１歩であるが、それはフィルム節約の最後のものではない。その理由は、映写中に覆わなければならない上と下にいぜんとして無駄にされるいくらかの領域が存在するためである。図３は１．８５：１形式のための究極的なフレーム高さを示す。この形式では無駄なフィルム面積はほとんど無い。標準の１．８５：１形式は確立された画像幅を持つ。その画像幅は光学的サウンドトラックのためにフィルムの左側に取っておかれるスペースによって限られる。この限られたフレーム幅は、１．８５：１の縦横比とともに、約１．７３ｃｍ（０．４４６インチ）の最小フレーム高さを定める。フレームの間のスペースのために千分の数インチが付加されると、この高さはフィルム長さの正確に２．５パーフォレーションに一致する。２．５−パーフォレーションかき落とし形式は、標準の４−パーフォレーション形式と比較すると約３７．５％の節約を表し、この形式が代わりの商用封切りプリント規格として現在提案されている。
上記から、種々の理由から極めて望ましいが、既存の映写システムとは互換性を持たないという問題があるいくつかの代わりのフレーム形式が存在することは明らかである。劇場での上映にその代わりのフレーム形式のフィルムを導入するのに成功するためには、あらゆる形式で動作できる映写機をそれらの設備に備えることを要する。アナモフィック・ワイドスクリーン上映には完全な４ーパーフォレーション・フレームを要するために、それらの映写システムは代わりのフレーム形式と共に４ーパーフォレーション・フレーム・フィルムを映写できる性能を持つことが重要である。また、本来の４ーパーフォレーション形式のままであるいくつかの「クラシック」フィルムおよびその他のフィルム（たとえば、予告編および公益事業の告知用）が常に存在する。
既存の映写機に３／４ーパーフォレーション形式の互換性を持たせようとする構造がいくつか提案されている。しかし、それらの構造の基本的な問題は、形式をいずれかの向きに切り替える場合に個々のスプロケットのおのおのを手作業で交換することを要することである。そのためにそれらの構造は時間および人手による制約によって全く非実用的である。本発明は完全自動切り替え可能なかき落しフィルム映写機作動機構を導入するものである。この作動機構によって、同じ劇場用映写機で、映写技師が過度に気を遣うことがなく、かつ上映にちゅうちょすることなしに、種々の代替形式フィルムを「背中合わせ」のようにして上映できるようにされる。このようにして、本発明は従来の構造における諸問題を解決し、関連する一層の諸利点を提供するものである。
発明の概要
本発明は、フィルムを映写機内で送るためのフィルム送り装置を備える、切り替え可能なかき落としフィルム映写装置を提供するものである。フィルム映写機作動機構または「ヘッド」とも呼ばれるフィルム送り装置は、フィルム上のパーフォレーションにかみ合うための歯を有する複数のスプロケットと、スプロケットを回転させて、映写機のアパーチャを通ってフィルムをフレームごとに動かす運動要素とを含む。本発明に従って、運動要素を調整することによって、スプロケットの回転速度と位置を、各フレームに含まれるパーフォレーションの数で表されるフィルムの形式に従って、維持または変更するための制御器が設けられる。このようにして、フィルム送り装置は各種の形式のフィルムを、要する技能が最小限で、映写機の動作を中断したり遅らせたりすることなしに、同じ映写機で送ることができる。
本発明の一実施態様では、フィルム送り装置は、一対のスプロケット、フィルムゲートの各側に１枚ずつ、と、フィルムをフレームごとにフィルムゲートのアパーチャを通って進ませるための対の間の間欠スプロケットとを含む。一対のスプロケットの回転速度は可変速モータによって決定され、間欠スプロケットの回転速度および位置決めは迅速応答サーボモータなどの他のモータによって決定される。この実施態様では、それら２台のモータは装置の原動要素を構成する。しかし、望むならば、１台のモータまたは３台のモータ（またはもっと多く）を原動要素として使用できる。
可変速モータの出力およびサーボモータの出力を調整する制御器は、フィルムの形式を指示するトリガ信号に応答するスイッチを含む。たとえば、トリガ信号はフィルム上に符号化されて、センサにより読み取られる情報とすることができる。受けられるトリガ信号の種類に応じて、スイッチは可変速モータの出力を変更する。そうすると一対のスプロケットの回転速度が変化する。
可変速モータは複数の同期円板を駆動もする。各同期円板の周縁部に一連の穴が等間隔で設けられる。各同期円板の両側に別々の光源とフォトセルがまたがって設けられる。動作中は、光源が光ビームを投射する。その光ビームは、円板が回転すると穴に位置が合う。各同期円板およびそれの対応するフォトセルは、異なるフィルム形式で装置の動作を制御するように構成されている。
各フレームかき落としのためのサーボモータの最初の動作は同期円板の出力によって制御される。選択された同期円板の穴を光ビームが通るたびに、その光ビームは対応するフォトセルによって検出される。その後でフォトセルはパルスを発生する。そのパルスは制御器を通じてサーボモータに供給されて、フィルムの１フレームだけの進みを開始する。各円板のための他の一対の光源／フォトセルセットに組合わされている、サーボモータによって回転させられる一連の位置決め円板が、フィルム位置についての情報を制御器に供給して、適切な位置でフィルムの動きを間欠的に停止させ、各フレームをフィルムゲートに正しく位置合わせさせるために構成される。望むならば、各同期円板および位置決め円板に冗長光源／フォトセルセットを設けることができる。
フレーム当り４個のパーフォレーションを持つフレームを有するフィルムから、フレーム当り３個のパーフォレーション持つフレームを有するフィルムへの変更が行われる時などの、フィルムが形式を変更した時を指示するためにトリガ信号が構成される。もちろん、トリガ信号は多くの異なる形式の間の変更を表すことができ、かつ一般に、トリガ信号は映写機内のフィルム形式がある所定数のパーフォレーションを持つフレームを有する形式から、他の異なる所定数のパーフォレーションを持つフレームを有する形式へ変更する時を指示するように構成される。
フィルム形式の変更を指示するためのトリガ信号はいくつかのやり方で発生させることができる。一実施態様では、トリガ信号はスイッチに結合されているセンサによって電子的に発生される。そのセンサは、たとえば、フィルムによって運ばれる符号化された情報を、フィルムが映写機に入った時に読み取ってフィルムの形式の変更を指示するように構成できる。この情報は光学的に読み取られるバーコードで箔、すなわち磁気片上に、または機械的手段によって、符号化できる。あるいは、フィルムオペレータによるフィルムの視覚的検査を基にしてトリガ信号を手動的に発生させることができる。このトリガ信号を発生する他の適当な手段は明らかであり、本発明は手動的に発生される信号または電子的に発生される信号に限定されるものではない。
信号発生のやり方とは無関係に、本発明の重要な特徴は、映写機の動作を一時停止またはその他停止させることなく、フィルム送り装置がフィルム形式の間で変更されるようになっていることである。これによって、たとえば、フィルム形式の間で切り替える時のどのような遅れも解消されて、同じフィルム上で種々のフィルム形式を一緒に接合できるようにする。その上に、この装置は動作が簡単で信頼できるように構成されているので、フィルム形式の間で切り替えるために特殊な技能を必要とせず、厳しい訓練も要しない。さらに、フィルム送り装置は既存の３５ｍｍ映写機に後から取り付けることができるように構成でき、それによって、ランプハウス、集光器、プラッター（ｐｌａｔｔｅｒ）装置およびその他の部品を含めた映写装置全体を取り替えるための高い費用を避ける。
本発明のその他の特徴およびその他の利点は、本発明の原理を例によって示す添付図面を参照して行う、本発明の以下の説明から明らかになるであろう。
【図面の簡単な説明】
添付図面は本発明を示す。それらの図面で：
図１は各フレームに４個のパーフォレーションがある１つの形式のフィルムの断面を示す。
図２は各フレームに３個のパーフォレーションがある他の形式のフィルムの断面を示す。
図３は各フレームに２．５個のパーフォレーションがある更に他の形式のフィルムの断面を示す。
図４は、明確にするために映写機の部分を除去して、制御部品を含めた本発明のフィルム送り装置の全体の部品を示す斜視図である。
図５はこのフィルム送り装置に使用するために適当な多数の形式を持つフィルム条を示す。
図６はホールドバック・スプロケットおよび複数の同期円板、両者は変速モータによって駆動される、の立面図である。
図７は図６の同期円板の１枚の立面図である。
図８は間欠スプロケットと複数の位置決め円板とを駆動するサーボモータの立面図である。
図９は図８の位置決め円板の１枚の立面図である。
図１０ａ〜図１０ｄは図６〜図９の実施例に類似する本発明の他の実施例を示すものであって、追加のフィルム形式での装置の動作を行えるようにするための追加の同期円板および追加の位置決め円板を示す。
好適な実施例の説明
本発明は、映写機を通じてフィルム１２を送るために、全体が参照数字１０で示されているフィルム送り装置で具体化できる。図４に示すように、フィルム送り装置１０は、送りスプロケット２２とホールドバック・スプロケット２４とで構成された２枚の定速スプロケットを含む。それらの定速スプロケットはフィルムゲート２６の両側に配置されている。間欠スプロケット２８がフィルムゲート２６の真下で、定速スプロケット２２と２４の間に配置されて、フィルム１２を通常のやり方でフィルムゲートを通ってフレームごとに間欠的に送る。したがって、間欠スプロケット２８は、１秒間当り２４こまの米国規格で、フィルム１２の各フレームをフィルムゲート２６に正確に位置合わせする。フィルムゲート２６はアパーチャ２９と、フィルム映写のための光源（図示せず）も含む。フィルム１２の、緩いフィルムループの形の、たるみが送りスプロケット２２とフィルムゲート２６との間と、間欠スプロケット２８とホールドバック・スプロケット２４との間とに設けられて、フィルムの切れを防ぐ。
フィルム送り装置１０は、可変速モータ３０とサーボモータ３２を備える原動要素をまた含む。この実施例では変速モータ３０は水晶制御モータなどの二速モータである。しかし、下記のように、変速モータ３０は三速モータにでき、または希望に応じて速さを追加できる。サーボモータ３２は迅速応答サーボモータとすることが好ましい。あるいは、スプロケット２２、２４および２８を駆動し、かつそれらのスプロケットの速さおよび位置を変更するための機械的手段またはその他の手段を有する１台のモータを原動要素が備えることを意図している。
可変速モータ３０はモータの各端部から延びている出力軸３４を回転させる。ホールドバック・スプロケット２４を回転させるために、軸３４の一端部が連結されている。軸３４は駆動輪３６も回転させる。その駆動輪には、駆動輪３６を第２の輪４０に連結するタイミングベルト３８が掛けられる。第２の輪４０は、送りスプロケット２２を回転させる軸４２に連結される。したがって、送りスプロケット２２とホールドバック・スプロケット２４はタイミングベルト３８によって一緒に結合され、可変速モータ３０によって一定の速さで調和して回転させられる。
可変速モータ３０の軸３４は複数の同期円板も支持している。この実施態様では、２枚のそのような同期円板４４と４６がある。したがって、可変速モータ３０の軸３４に共通に連結されている送りスプロケット２２と、ホールドバック・スプロケット２４と、同期円板４４、４６とは同じ回転速度で回転させられる。
サーボモータ３２は、サーボモータの各端部から延びている出力軸４８も回転させる。軸４８の一端は回転のために間欠スプロケット２８に接続され、軸４８の他端は複数の位置決めディスクを支持している。この実施形態では、２つの位置決めディスク５０と５２が存在する。サーボモータ３２はまた軸４８の一番端で速度タコメータ５４を回転させる。
図５はフィルムの縁に沿って複数のパーフォレーション５６を有するフィルム１２の一部を示している。パーフォレーション５６の間にフレーム５８が存在する。図示のためにフレームは垂直線６０で分離してある。標準３５ｍｍフィルムであるフィルム１２の部分を、それの長さを横切る種々の形式を持つものとして示す。フィルム１２の左側の部分と右側の部分は、各フレーム５８に４個のパーフォレーションを持つ形式である。フィルム１２の中央部分の形式は、各フレーム５６に３個のパーフォレーション５６があるようなものである。それら２つの形式の間の移行はトリガ片６２によって表される。そのトリガ片６２の機能については下でもっと詳しく説明する。前記図１と図２は２つのフィルム形式を非常に詳しく示す。
図６と図７は同期円板４４と４６をより詳しく示す。それらの同期円板４４と４６の周縁部には複数の穴６８が等間隔で設けられている。第１の同期円板４４は軸３４に第２の同期円板４６よりも外側に取り付けられ、６個の穴６８が等間隔で設けられる。軸３４の最も内側に設けられている第２の同期円板４６には８個の穴６８が設けられる。
同期円板４４と４６との近くに設けられているブラケット７０に光源７２が取り付けられる。光源７２は光ビームを各同期円板へ向けて投射する。その光ビームは各同期円板４４、４６の穴６８に位置が合うから、同期円板が回転させられると光ビームは各穴を通って進む。ブラケットに一対のフォトセル７４、７６が取り付けられている。１つのフォトセルは同期円板４４、４６の光源７２とは反対側に配置される。したがって、光源７２が動作させられると、穴６４の１つが光源と、動作のために選択されたフォトセル７４または７６の１つとの間を通るたびに、その選択された１つのフォトセルが光ビームを受ける。
図８および図９は位置決め円板５０と５２の詳細を示す。同期円板４４および４６と同様に、各位置決め円板５０と５２の周縁部には複数の穴７８が等間隔で設けられている。第１の位置決め円板５０は軸４８に第２の位置決め円板５２よりも外側に取り付けられ、６個の穴７８が等間隔で設けられている。軸４８の最も内側に設けられている第２の位置決め円板５２には８個の穴７８が設けられている。各位置決め円板５０と５２との周縁部にはいくつかの羽根８０も等間隔で設けられる。すなわち、第１の位置決め円板５０には６枚の羽根８０が設けられ、第２の位置決め円板５２には８枚の羽根８０が設けられている。
位置決め円板５０と５２との近くに設けられているブラケット８２に２つの光源８４と８６が取り付けられる。一方の光源が他方の光源の内側に設けられ、各位置決めディスク５０と５２に向けて光ビームを投射する。内側の光源８４は、各位置決め円板５０と５２との穴７８に位置が合っている光ビームを各同期円板へ向けて投射するので、位置決め円板が回転させられると光ビームは各穴を通って進む。同様に、最も外側の光源８６は光ビームを投射し、その光ビームは、各羽根８０の間の隙間８７を通って各位置決め円板５０と５２との他の側に進む。
２個のフォトセルセット８８と９０も、２つの光源８４、８６にそれぞれ向き合わされて、それぞれ位置決め円板５０と５２の反対側に配置されている。したがって、光源８４、８６が動作させられると、対応するフォトセル対セット８８または９０が動作のために選択されて、穴７８と羽根８０の間の隙間８７とを通る光ビームを受ける。
以下にフィルム送り装置１０の動作を説明する。その動作は図４を参照すると最も良く理解される。この説明のために、フィルム送り装置１０は、各フレームにパーフォレーションが４個設けられているフィルム形式と、各フレームにパーフォレーションが３個設けられているフィルム形式とが同じフィルム条に一緒に接合されている場合などの、各フレームにパーフォレーションが４個設けられているフィルム形式で動作するために最初に設定され、その後で、各フレームにパーフォレーションが３個設けられているフィルム形式に切り替えると仮定する。便宜上、それら２種類のフィルム形式を以下にそれぞれ「４ーパーフォレーション形式」および「３ーパーフォレーション形式」と呼ぶことにする。
最初は、可変速モータ３０に電力を供給して、４ーパーフォレーション形式の３５ｍｍフィルムに対応する適切な回転速度でそのモータの出力軸３４を回転することをモータ３０に指令する。そうすると送りスプロケット２２とホールドバック・スプロケット２４とがフィルムが進む向きに回転し、それによってフィルムゲート２６の両側で等しい長さのフィルム１２を供給および巻き取る。それと同時に、可変速モータ３０は同期円板４４と４６も回転させる。
光源７２は光ビームを各同期円板４４と４６へ向かって放出するが、装置１０は４ーパーフォレーション形式で動作しているので、第１の同期円板４４のためのフォトセル７４のみが動作させられる。穴６８の１つを通じてフォトセル７４によって受けられる各光ビームごとに、対応するパルス９２がフォトセル７４から発生される。第１の同期円板４４には６個の穴６８があるので、円板の各回転で６個のパルス９２が発生される。
第１の同期円板４４のための作動させられたフォトセル７４から発生されたパルスは電子制御器９４に加えられる。この電子制御器は、既に始動させられているサーボモータ３２の動作を制御する。間欠スプロケット２８は、制御器９４からサーボモータ３２に送られた信号９６によって駆動させられる。それらの信号９６は、フォトセル７４から受けられ、第１の同期円板４４によって開始されるパルス９２を基にして制御器９４によって発生される。したがって、信号９６は間欠スプロケット２８の回転を開始させる。
間欠スプロケット２８が駆動されると、フィルム１２はフォトセル７４の各出力パルス９２ごとに１こまの速さでフィルムゲート２６を通って進ませられる。そうすると、第１の同期円板４４の１回転ごとにフィルムフレームが６回「かき落とされる」ことになる。第１の同期円板４４の１回転は２４本の歯を持つ間欠スプロケット２８の、各ステップごとに４本の歯が動くようなステップを６回行う１回転に相当する。間欠スプロケット２８のこの回転は４ーパーフォレーション形式のために適切である。この動作中に、電子制御器９４は各フィルムフレームがフィルムゲート２６に正確に位置させられるようにする。これは次のようにして行われる。
間欠スプロケット２８がフィルムフレーム５８をフィルムゲート２６まで進ませると、第１の位置決め円板５０がその間欠スプロケットの位置、および同様にフィルムフレームの位置を、光源８４と８６からの光ビームが第１の位置決め円板５０のための対応するフォトセルセット８８によって受けられるようにする、穴７８と羽根８０によって検出する。同時に、サーボモータ３２の軸４８の最も外側の端部に取り付けられている速度タコメータ５４が間欠スプロケット２８の回転速度を検出する。帰還信号９８と１００の系を通じて、この情報は電子制御器９４によって絶えず監視される。その電子制御器によって、サーボモータ３２の加速、減速または停止を行う必要に従って電圧波形を整形するために、その情報は使用される。このようにして、フィルムフレーム５８はフィルムゲート２６へ迅速に動かされ、最高の正確さで位置させられる。そのような帰還系が米国特許第３，８１９，２５８号に記載されている。その米国特許はそれを参照することによってここに含まれる。
フィルム１２が装置１０を通って進み続けるにつれて、フィルム上のトリガ片６２の１つがフィルムゲート２６より前方のセンサ１０２によって読み取られる。一実施形態ではトリガ片６２には情報が磁気的、光学的、またはその他のやり方で符号化される。トリガ片６２は２つのフィルム形式の間の接合部に配置することが理想的である。例として、この場合にはセンサ１０２によって読み取られた情報は、４ーパーフォレーション形式から３ーパーフォレーション形式へのフィルム形式の変更を示し、この形式の変更に対応して適切なパルス１０４がセンサ１０２によって発生される。このパルス１０４は増幅器（図示せず）によって増幅されてから、切り替え電子装置１０６によって受けられる。その切り替え電子装置１０６は全体のフィルム送り装置の制御器の部分を構成する。（切り替え電子装置１０６は信号１０７、１０８によって光源７２、８４、８６を作動させもする。）
センサ１０２からのパルス１０４は切り替え電子装置１０６に信号１０８を可変速モータ３０へ送らせて、３ーパーフォレーション形式での動作のためにそれの速さを調整させる。この切り替え中に、第２の同期円板４６のためのフォトセル７６が起動させられ、第１の同期円板４４のための以前に起動させられたフォトセル７４の動作が終了させられる。その結果、第２の同期円板４６のためのフォトセル７６は第２の同期円板の各回転ごとに８本の光ビームを受け、それによって対応する数のパルスを発生する。それらのパルスは電子制御器９４へ送られる。
第２の同期円板４６の１回転が２４本歯間欠スプロケット２８の１回転に相当することに注目すべきである。第２の同期円板４６のフォトセル７６によって発生されたパルス９２は電子制御器９４を介してサーボモータ３２に送られて、間欠スプロケット２８が１回転進められ、したがって、１フレームかき落とされるので、第２の同期円板４６の毎回転で３本のスプロケット歯が今は８回かき落とされる。これは３ーパーフォレーション形式に対して適切である。
図２に示す、３ーパーフォレーション形式では、フレームの中心線、左から右へ、がフィルムパーフォレーション５６の中心を通る。しかし、図１に示す、４ーパーフォレーション形式では、フレームの中心線は２つのフィルムパーフォレーション５６の間のスペースを２等分する−−２つの形式の間のパーフォレーションの半分の差である。したがって、４ーパーフォレーション形式と３ーパーフォレーション形式との間の第１の中心−中心ステップは３．５パーフォレーションのステップである。その後中心−中心間隔はフレーム当り一定の３ーパーフォレーションである。フィルム送り装置１０は、間欠スプロケット２８を最初に元の位置へ戻すことによってこのずれに対処するように構成されている。これは、２４本歯スプロケットにおけるパーフォレーションの半分に等しい７．５度だけ、第２の位置決め円板５２（３ーパーフォレーション形式における動作に対応する８個の穴７８と８枚の羽根８０を有する）が第１の位置決め円板５０（４ーパーフォレーション形式における動作に対応する６個の穴７８と６枚の羽根８０を有する）より遅れるように、第２の位置決め円板を向けることによって達成できる。このようにして、３−パーフォレーション形式における適正な映像フレーム送りを維持するために間欠スプロケット２８が適応させられている間、フレーム−フレーム間隔が３パーフォレーションに維持される。。
第１の同期円板４４から第２の同期円板４６への制御の移行は間欠スプロケットの休止期間中に行われる。しかし、第２の位置決め円板５２の羽根８０の前縁部と穴７８とは第１の位置決め円板５０よりパーフォレーションの半分だけ遅れるように向けられるので、休止期間に続く最初の運動時には、第２の位置決めディスク５２は羽根と穴がパルス９８を新たに起動させられたフォトセル９０から発生させるまでに７．５度（パーフォレーションの１／２）回転するだけである。フィルム１２が完全な最初の進み３．５パーフォレーションを行うように、それらの最初の切り替えパルスを無視して、以後のパルスセットを待つように電子制御器９４をプログラムすべきである。
センサ１０２はフィルムゲート２６より前方に配置すべきであるので、トリガ片６２がセンサの上を通ると、切り替えのために適正な位置にフィルム１２が来る僅か前にパルス１０４が発生される。したがって、切り替え電子装置１０６はこのプロセスに遅延を導入せねばならない。その遅延の期間はセンサ１０２とフィルムゲート２６との間の距離、一定であると、トリガ片６２上に符号化されている情報から決定されるように、装置１０の現在の動作モードとによって決定される。３ーパーフォレーション形式ではフィルム１２はより遅く動くので、遅延期間は僅かに長い。センサ１０２のオフセットを補償するための代わりの手段は、フィルムプリントにおけるトリガ片を置く位置（すなわち、遅れ）を、フィルムゲートからのセンサのずれに等しい量だけずらせることである。
フィルム１２上における他のトリガ片６２がセンサ１０２によって読み取られると、他のパルス１０４が切り替え電子装置１０２へ送られる。そうすると切り替え電子装置は装置１０の全ての構成部品に信号して、上記のように、４ーパーフォレーション形式に対応する動作条件に戻させる。
以上の説明から、本発明のフィルム送り装置１０は、同じひとつながりのフィルム１２で種々のフィルム形式の間で相互に切り替えることができ、しかもその切り替えに際して映写機１４の動作の中断すなわち停止はない。これは、同じひとつながりのフィルムに２種類の（またはそれより多い）フィルム形式を一緒に組み込ませるという大きな選択を今や手中に収めたフィルム製作者、フィルム配給者、映写技士および映画館主にとってそれは大きな利点である。したがって、フィルムの配給および映写におけるコストが大幅に低減され、かつ手間が大きく軽減される。その上に、映写のためには、フィルム形式の間の切り替えを行うために技能や訓練をほとんど必要とせず、それによってこの装置は余り熟練していない映画館の従業員が操作するために理想的なものにされる。
この切り替えできるかきおとし映写装置によって配給業者は他の形式の公開プリントを製作できるために無駄が解消する。他の形式の公開プリントを製作する際には、配給業者は材料と費用を節約すると同時に、観客にみせる映像の質が低下することはない。かつ、このプロセスの利益は、それら当初の節約をはるかに超えたものとなる。無駄が解消されるので、プリントは物理的に短くて軽い。したがって、輸送コストが低くなり、かつ完全にプラッターに装着してそのまま映写できるようにして出荷することさえできる。
現在は１００分のフィルムの長さは約２７４３ｍ（９０００フィート）であり、かつ重量のために、約６１０ｍ（２０００フィート）のリールで出荷している。それらのリールは、そのフィルムを上映するスクリーンのための特定の映写機で一緒に組合わさなくてはならない。この作業は上映番組を「装備する（ｍｏｕｎｔｉｎｇ）」と呼ばれている。その作業は映写技士などの熟練した人が行わなければならない。そのプリントを他のスクリーンで映写することを映画館の経営者が決定すると、そのプラッターに装着したプリントは重すぎて映写機の間で移動することができないために、その映画全編を通常「ばらばらに分離して」再び「装備」しなければならない。しかし、本発明によって可能にされたこの新しいよりコンパクトなものでは、その同じ１００分フィルムの長さがたった約２０５７ｍ（６７５０フィート）（３−パーフォレーション形式のフィルムを用いて）、または約１７１５ｍ（５６２５フィート）（２．５−パーフォレーション形式のフィルムを用いて）になる。この短縮された長さおよび軽減された重量では、単一の予め装備されたリールでフィルムを出荷し、映画全編を「ばらばらに分離して」「再び装備」することなくリールを映写機の間で移動させることが可能である。
もちろん、一定の形式を持つフィルム１２の新しいリールが映写機に初めて装填された時に、トリガ片６２をフィルム条の初めに置くことができ、または手動スイッチ１３０を起動して映写機の適切な動作を指令しなければならないことがわかるであろう。そうすると、トリガ片６２を読み取ると、または手動スイッチ１３０を起動すると、映写機内を送られているフィルム１２の特定の形式に対して適切なやり方でフィルム送り装置１０を動作させるために、切り替え電子装置１０６が上記の必要な調節を行うことができる。
また、フィルムを１０は、上記２つのフィルム形式の間でばかりでなく、他の任意の数のフィルム形式の間で、切り替えることができることもわかるであろう。したがって、別の例として、フィルム送り装置１０を図３に示すフィルム形式を使用するように構成できる。図３は各フレーム５８に２．５パーフォレーションが存在するようなフィルム１２の一部を示す。前記フィルム形式のいずれか１つからフレーム当り２．５パーフォレーションの後者の形式へ切り替えることができるようにするためには、同期円板４４と４６に関連する穴６８の数と、位置決め円板５０と５２との穴７８と羽根８０との数とを変更することを要する。あるいは、３つのフィルム形式の全ての間で切り替えたいとするならば、３枚の同期円板４４、４６および１００と、３枚の位置決め円板５０、５２および１１２を、図１０ａ〜図１０ｄに示すように設けることができる。３つの形式の間の切り替えには可変速モータ３０を３つの異なる速度で動作できるようにする必要がある。間欠スプロケット上の歯の数を、２．５、３．０および４．０で等分に割ることができる数、この場合には６本の歯、に変更することも必要である。
したがって、４ーパーフォレーション形式での動作に対応する、第１の同期円板４４は今は１５個の等間隔穴６８を有する。３ーパーフォレーション形式での動作に対応する、第２の同期円板４４は今度は１２個の等間隔穴６８を有する。２．５ーパーフォレーション形式での動作に対応する、第３の同期円板１１０が付加されている。この第３の同期円板１１０は、サーボモータ３２の動作を支配する必要なパルスを発生するために、２４個の穴６８と、対応する光源１１４およびフォトセル１１６を有する。第１の位置決め円板５０と、第２の位置決め円板５２と、２．５ーパーフォレーション形式に対応して付加された第３の位置決め円板１１２とのおのおのに対応する数の穴７８と羽根８０が設けられる。第３の位置決め円板１１２はそれ自体の光源１１８とフォトセルセット１２０をも有する。
以上の説明から、同期円板および位置決め円板に関連する穴、スペースおよび羽根を適切に再構成することによって、異なるフィルム形式または追加のフィルム形式をフィルム送り装置１０で送ることができることが分かるであろう。したがって、同期円板および位置決め円板のかならずしも全てを立面図で示してはいないが、図７、図９、図１０ｂおよび図１０ｄから、異なるフィルム形式または追加のフィルム形式を希望に応じてフィルム送り装置１０で送ることができるようにするために穴、スペースおよび羽根をどのように構成するかは、当業者には以上の説明から明らかであろう。
また、同期円板４４、４６、１１０と位置決め円板５０、５２、１１２とのおのおのに光源１２２、１２４とフォトセル１２６、１２８との冗長セットを設けることができる。それらの光源１２２、１２４とフォトセル１２６、１２８との冗長セットを図１０ａと図１０ｃに示す。この冗長性によって、光源７２、８４または８６、またはフォトセル７４、７６、８８または９０の冗長セットの１つが故障した場合にも支障のない動作を確保することが助けられる。この冗長性は図４に示す実施例にも同様に設けることができる。
フィルム送り装置１０が４ーパーフォレーション形式から２．５−パーフォレーション形式へ切り替えられると、３．２５−パーフォレーションの最初のステップが求められる。これは、第３の同期円板１１０が第１の同期円板４４から４．５度だけ遅れるように、第３の同期円板１１０を配置することによって行われる。このようにして、第１のステップにより間欠スプロケット２８が、電子制御器９４によって指令されている２．５パーフォレーションを超えた追加の０．７５パーフォレーションだけ進ませられる。
４ーパーフォレーション動作から３−パーフォレーション動作への切り替えについて先に説明したように、第２の位置決め円板５２の４．５度のずれのために早期パルス９８が、切り替え時に新たに起動されたフォトセル９０から発生させられる。それらのパルスを無視し、次のパルス対を待つように電子制御器９４をプログラムしなければならない。
同様に、３−パーフォレーション形式から２．５−パーフォレーション形式への切り替えには２．７５−パーフォレーションのステップを必要とする。しかし、第２の同期円板４６と第１の同期円板４４との間の既存の２分の１パーフォレーションずれによってそれは自動的に対処される。
図４はフィルムゲート２６における別々のセンサ１０２を示すが、装置１０は既存の映写機に既に組み込まれているセンサを使用できる。それらのセンサは館内を減光するため、幕を開くため、およびその他の機能を行うために一般に使用されている。トリガ片６２は、減磁できない箔片、光学的に読み取られるバーコード、機械的なトリガ（たとえば、フィルムへの切り込み、穴あけまたは浮き出し）、またはその他の適切な手段とすることも考えられる。また、希望によっては、センサ１０２を映写機１４に設けた手動スイッチ１３０で置き換えて、フィルム取扱い者によるフィルム１２の目視検査を基にして形式切り替えを開始できる。
本発明のフィルム送り装置１０のその他の利点は、プラッター装置全体を自動的に巻き戻すというそれの性能に存する。プラッター装置はフィルム送り装置１０にフィルムを供給し、かつフィルム送り装置からフィルムを巻き取る。従来のプラッター装置では、装置を完全な装備された各プラッターの上映の間に装置を再び装填するために映写技士が求められる。さらに、従来のフィルム送り装置は高速フィルム巻き戻しの実行を阻止する機械的装置を使用している。しかし、本発明のフィルム送り装置１０はそれらの機械的手段を無くし、巻き戻し動作中に間欠スプロケット２８における間欠運動を避けて、逆向きの滑らかな、高速フィルム運動を行えるようにする全電子式構造を用いる。上記プロセスによってフィルムを高速で巻き戻すことをモータ３０と３２に指令するトリガ片６２をフィルム１２の端部に設けることによって、フィルム送り装置１０が高速巻き戻しモードで動作することをフィルム送り装置に指令できる。
本発明の特定の態様を示し、説明したが、本発明の要旨および範囲を逸脱することなく種々変更できることが明らかであろう。したがって、添付した請求の範囲によって限定することを除き、本発明を限定することを意図するものである。
【図１】
0004030584.tif 000002
【図２】
0004030584.tif 000003
【図３】
0004030584.tif 000004
【図４】
0004030584.tif 000005
【図５】
0004030584.tif 000006
【図６】
0004030584.tif 000007
【図７】
0004030584.tif 000008
【図８】
0004030584.tif 000009
【図９】
0004030584.tif 000010
【図１０ａ】
0004030584.tif 000011
【図１０ｂ】
0004030584.tif 000012
【図１０ｃ】
0004030584.tif 000013
【図１０ｄ】
0004030584.tif 000014